(57)【特許請求の範囲】
【請求項１】
記録媒体を支持した状態で一定回転軸線を中心として回転するためのハブを備えた回転部と、その回転部を回転自在に支持する軸受部を有してなるスピンドルモータであって、
前記軸受部と電機子が回転軸線方向に隣接しており、
前記電機子に隣接する前記軸受部の回転軸線方向位置、又は前記軸受部とそれに隣接する電機子の間の回転軸線方向位置に、前記ハブの少なくとも一部が位置すると共に、その位置における前記ハブの内周側部分に、回転軸線方向一方である電機子側及び径方向内方の両方に開口する環状切欠部を有し、
その環状切欠部の径方向内方は、前記軸受部の回転軸線方向一方の端部の外周面により閉塞されており、
その環状切欠部内に、回転バランス修正用のおもり体が固定されていることを特徴とする記録媒体駆動用のスピンドルモータ。
【請求項２】
上記環状切欠部が、電機子と回転軸線方向に隣接している請求項１記載の記録媒体駆動用のスピンドルモータ。
【請求項３】
記録媒体を支持した状態で一定回転軸線を中心として回転するためのハブを備えた回転部と、その回転部を回転自在に支持する軸受部を有してなるスピンドルモータを製造する方法であって、
前記スピンドルモータは、前記軸受部と電機子が回転軸線方向に隣接し、前記電機子に隣接する軸受部の回転軸線方向位置、又は前記軸受部とそれに隣接する電機子の間の回転軸線方向位置に、前記ハブの少なくとも一部が位置するものであり、
前記ハブの少なくとも一部が位置する回転軸線方向位置におけるハブの内周側部分に、回転軸線方向一方である電機子側及び径方向内方の両方に開口する、環状切欠部を設けるステップと、
その環状切欠部において前記ハブを保持した状態でそのハブの加工を行うステップと、
前記環状切欠部の径方向内方を、前記軸受部の回転軸線方向一方の端部の外周面により閉塞するステップと、
前記軸受部の回転軸線方向一方の端部の外周面により径方向内方が閉塞された前記環状切欠部内に回転バランス修正用のおもり体を固定して回転バランスを調整するステップを有することを特徴とする記録媒体駆動用スピンドルモータの製法。
【発明の詳細な説明】
【０００１】
【発明の属する技術分野】
本発明は、おもり体により回転バランスが調整された記録媒体駆動用スピンドルモータ及びその製法に関する。
【０００２】
【従来の技術及び発明が解決しようとする課題】
スピンドルモータの回転バランスを調整するために、例えば特開平７−８５５８０に開示されるスピンドルモータのように、軸受及び磁性流体シールを保持する部材（ブッシュ）における外部側の面にネジ孔を設け、このネジ孔に重りを螺合取付する構成が知られている。
【０００３】
しかしながら、昨今、スピンドルモータはますます小型化され、回転バランス修正用の構造を形成することが可能な部材を見出すことが困難な状況になりつつある。
【０００４】
このような状況下にあっても、スピンドルモータの高速化が進むにつれて、その回転バランスのアンバランスに起因する振動、騒音又は振れ回り等がより顕著な問題となってきており、より高精度な回転バランスの調整が必要とされている。
【０００５】
本発明は、従来技術に存した上記のような課題に鑑み行われたものであって、その目的とするところは、薄型化・小型化等を損なうことなく、その回転バランスをより精度良く調整することができる記録媒体駆動用のスピンドルモータ、及びそのスピンドルモータを効率良く製造し得る記録媒体駆動用スピンドルモータの製法を提供することにある。
【０００６】
【課題を解決するための手段】
(1)  本発明の記録媒体駆動用のスピンドルモータは、
記録媒体を支持した状態で一定回転軸線を中心として回転するためのハブを備えた回転部と、その回転部を回転自在に支持する軸受部を有してなるスピンドルモータであって、
前記軸受部と電機子が回転軸線方向に隣接しており、
前記電機子に隣接する前記軸受部の回転軸線方向位置、又は前記軸受部とそれに隣接する電機子の間の回転軸線方向位置に、前記ハブの少なくとも一部が位置すると共に、その位置における前記ハブの内周側部分に、回転軸線方向一方である電機子側及び径方向内方の両方に開口する環状切欠部を有し、
その環状切欠部の径方向内方は、前記軸受部の回転軸線方向一方の端部の外周面により閉塞されており、
その環状切欠部内に、回転バランス修正用のおもり体が固定されていることを特徴とする。
【０００７】
電機子と回転軸線方向に隣接する軸受部の回転軸線方向位置、又はその軸受部とそれに隣接する電機子の間の回転軸線方向位置に、ハブの少なくとも一部が位置し、ハブにおけるその位置に、回転バランス修正用のおもり体が固定されている環状切欠部を有する。この環状切欠部を設けても、スピンドルモータの他の内部構造又は外形に影響を与えることはほとんどない。そのため、スピンドルモータの薄型化・小型化等を損なうことなくその環状切欠部内に回転バランス修正用のおもり体を固定して、そのスピンドルモータの回転バランスを調整することができる。なお、回転バランス修正用のおもり体は、環状切欠部に固定するので、周方向の任意位置に固定することができる。而も、ハブにおける前記環状切欠部の径方向内方を、軸受部の回転軸線方向一方の端部の外周面により閉塞することにより、回転軸線方向一方にのみ開口する環状溝状構造部を容易に形成することができる。このようにして環状切欠部の径方向内方が軸受部により閉塞されて回転軸線方向一方にのみ開口するものとすることにより、液状体を固化したものや固体等からなる回転バランス修正用のおもり体を、容易且つ確実に周方向の所要位置に固定することができる。
【０００８】
また、環状切欠部に固定された回転バランス修正用のおもり体は、電機子に隣接する軸受部の回転軸線方向位置、又はその軸受部とそれに隣接する電機子の間の回転軸線方向位置に位置するので、回転軸線方向における回転部の重心位置に近く、精度良くスピンドルモータの回転バランスを調整することができる。界磁部にヨークを備える場合、回転バランスに及ぼす影響が一般に大きいヨークの近辺に、回転バランス修正用のおもり体が固定された環状切欠部を有するので、この点においても回転バランスの調整に好適である。
【０００９】
記録媒体を支持した状態で一定回転軸線を中心として回転するためのハブは、例えば、記録媒体としてのハードディスク等を外周部に外嵌した状態で支持し得るもので、筒状又は椀形状等をなすものとすることができる。
【００１０】
回転部は、例えば、ロータフレーム及びハブの一方又は両方、ロータマグネット、並びに、ロータマグネットのヨークであるロータヨークからなるものとすることができる。
【００１１】
軸受部としては、例えば、玉軸受（１又は回転軸線方向に相互に離隔して若しくは近接して配置された２以上の玉軸受）、動圧滑り軸受等を挙げることができる。
【００１２】
ハブの内周側部分としては、例えば、ハブの筒状部における内周面部、ハブの筒状部の内径が複数段である場合における各内径部の間の回転軸線に対し０乃至９０度をなす環状の平面部又は曲面部等を挙げることができる。
【００１３】
環状溝部又は環状切欠部は、何れも回転軸線に対し回転対称形状をなすものとすることができる。また、環状溝部又は環状切欠部は、ハブの切削加工等のハブの加工時にハブを（旋盤等のチャック等により）保持するためのものとすることが、効率的で好ましい。
【００１４】
環状切欠部は、径方向内方が軸受部の回転軸線方向一方の端部の外周面により閉塞されることにより、回転軸線方向一方である電機子側にのみ開口する。そのため、回転バランス修正用のおもり体を固定する作業を回転軸線方向から行なうことができるので好ましい。また、回転バランス修正用のおもり体又は環状切欠部から万一粉塵等が発生した場合における粉塵等の外部飛散を防ぎ得る。
【００１５】
回転バランス修正用のおもり体としては、例えば、環状溝部又は環状切欠部に固着して固化し得る液状体（例えば接着性の合成樹脂、接着剤、紫外線硬化型接着剤等の揮発成分が少ないか実質上含まない接着剤等）や、金属製Ｃリング等を用いることができる。
【００１６】
前記のような液状体を回転バランス修正用のおもり体として利用する場合、比較的に粘度及び比重が高いものを用いることが好ましい。また、前記のような液状体を回転バランス修正用のおもり体として利用する場合、固化の際にハブを傾ける等することでバランス補正位置に正確に位置決めすることが可能である。
【００１７】
(2)  上記(1)記載の記録媒体駆動用のスピンドルモータは、
上記環状切欠部が、電機子と回転軸線方向に隣接しているものとすることが好ましい。
【００１９】
環状切欠部に固定された回転バランス修正用のおもり体は、電機子と回転軸線方向に隣接しているので、回転軸線方向における回転部の重心位置により近くなり、より一層精度良くスピンドルモータの回転バランスを調整することができる。
【００２０】
前記界磁部としては、例えば界磁磁石やヨークを挙げることができる。また少なくとも何れかの軸受部と言うのは、軸受部が複数の場合は少なくともその何れかを意味する。
【００２１】
電機子又は界磁部に隣接する軸受部の回転軸線方向位置と言うのは、その軸受部が占める回転軸線方向の位置を意味する。環状溝部又は環状切欠部の好ましい位置は、それに隣接する電機子又は界磁部寄りの回転軸線方向位置である。
【００２３】
(3)  本発明の記録媒体駆動用スピンドルモータの製法は、
記録媒体を支持した状態で一定回転軸線を中心として回転するためのハブを備えた回転部と、その回転部を回転自在に支持する軸受部を有してなるスピンドルモータを製造する方法であって、
前記スピンドルモータは、前記軸受部と電機子が回転軸線方向に隣接し、前記電機子に隣接する軸受部の回転軸線方向位置、又は前記軸受部とそれに隣接する電機子の間の回転軸線方向位置に、前記ハブの少なくとも一部が位置するものであり、
前記ハブの少なくとも一部が位置する回転軸線方向位置におけるハブの内周側部分に、回転軸線方向一方である電機子側及び径方向内方の両方に開口する、環状切欠部を設けるステップと、
その環状切欠部において前記ハブを保持した状態でそのハブの加工を行うステップと、
前記環状切欠部の径方向内方を、前記軸受部の回転軸線方向一方の端部の外周面により閉塞するステップと、
前記軸受部の回転軸線方向一方の端部の外周面により径方向内方が閉塞された前記環状切欠部内に回転バランス修正用のおもり体を固定して回転バランスを調整するステップを有することを特徴とする。
【００２４】
この製法によれば、ハブの加工においてハブを保持するために設けた環状切欠部が、回転バランス修正用のおもり体の固定に利用されるので、製造効率が良好である。
而も、電機子と回転軸線方向に隣接する軸受部の回転軸線方向位置、又はその軸受部とそれに隣接する電機子の間の回転軸線方向位置に、ハブの少なくとも一部が位置し、ハブにおけるその位置に、回転バランス修正用のおもり体が固定されている環状切欠部を有する。この環状切欠部を設けても、スピンドルモータの他の内部構造又は外形に影響を与えることはほとんどない。そのため、スピンドルモータの薄型化・小型化等を損なうことなくその環状切欠部内に回転バランス修正用のおもり体を固定して、そのスピンドルモータの回転バランスを調整することができる。なお、回転バランス修正用のおもり体は、環状切欠部に固定するので、周方向の任意位置に固定することができる。而も、ハブにおける前記環状切欠部の径方向内方を、軸受部の回転軸線方向一方の端部の外周面により閉塞することにより、回転軸線方向一方にのみ開口する環状溝状構造部を容易に形成することができる。このようにして環状切欠部の径方向内方が軸受部により閉塞されて回転軸線方向一方にのみ開口するものとすることにより、液状体を固化したものや固体等からなる回転バランス修正用のおもり体を、容易且つ確実に周方向の所要位置に固定することができる。
また、環状切欠部に固定された回転バランス修正用のおもり体は、電機子に隣接する軸受部の回転軸線方向位置、又はその軸受部とそれに隣接する電機子の間の回転軸線方向位置に位置するので、回転軸線方向における回転部の重心位置に近く、精度良くスピンドルモータの回転バランスを調整することができる。界磁部にヨークを備える場合、回転バランスに及ぼす影響が一般に大きいヨークの近辺に、回転バランス修正用のおもり体が固定された環状切欠部を有するので、この点においても回転バランスの調整に好適である。
環状切欠部は、径方向内方が軸受部の回転軸線方向一方の端部の外周面により閉塞されることにより、回転軸線方向一方である電機子側にのみ開口する。そのため、回転バランス修正用のおもり体を固定する作業を回転軸線方向から行なうことができるので好ましい。また、回転バランス修正用のおもり体又は環状切欠部から万一粉塵等が発生した場合における粉塵等の外部飛散を防ぎ得る。
【００２５】
ハブの加工は例えば切削加工等により行うものとすることができる。環状溝部又は環状切欠部におけるハブの保持は、例えば旋盤のチャック等による保持とすることができる。
【００２６】
なお、上記記録媒体駆動用スピンドルモータの製法は、
スピンドルモータが、上記環状切欠部が電機子と回転軸線方向に隣接しているものとすることができる。
【００２７】
【発明の実施の形態】
本発明の実施の形態を、図面を参照しつつ説明する。
【００２８】
図１は、本発明の実施の形態の一例としてのハードディスク駆動用スピンドルモータの断面図である。尤も、本発明のスピンドルモータはハードディスク以外の記録媒体の駆動にも使用可能である。
【００２９】
ブラケット１０における上方開口の凹部１０ａの中央部に上向きに形成された筒状部１０ｂに、固定シャフト１２の下部が内嵌固定されることによりその固定シャフト１２が立設され、筒状部１０ｂには、ステータコア１４ａにステータコイル１４ｂが巻回されてなるステータ１４（電機子）が外嵌固定されている。
【００３０】
回転部１６は、略円筒状をなす軸受ホルダ１８に、下端外周部に鍔状部２０ａが設けられた略円筒状のハブ２０が同軸状に外嵌固定され、鍔状部２０ａの内周部に、円筒状のロータマグネット２２を同軸状に内嵌固定した円筒状のロータヨーク２４の上部が内嵌固定されてなる。ハブ２０の外周部のうち鍔状部２０ａの上方には、複数枚のハードディスク（図示せず）がスペーサ等を挟んで外嵌支持される。
【００３１】
回転部１６は、ステータ１４より上方位置の固定シャフト１２に対し、軸受ホルダ１８が上下玉軸受２６・２８を介して支持されることにより、回転自在に支持されている。これにより、ロータマグネット２２はステータ１４の径方向外方に相対し、ハブ２０は、鍔状部２０ａがブラケット１０における凹部１０ａの上部外周部に相対する状態で一定回転軸線を中心として回転駆動される。
【００３２】
上下玉軸受２６・２８は、軸受ホルダ１８における回転軸線方向中央部の環状の内方突部１８ａを挟んで上下に配されており、そのうち下玉軸受２８はステータ１４の上側に隣接している。下玉軸受２８の下側面は、外周部が軸受ホルダ１８に固定された環状の軸受キャップ３０により覆われている。また上玉軸受２６の上側は、ポールピース及び環状永久磁石体が軸受ホルダ１８に固定された磁性流体シール３２により軸受ホルダ１８と固定シャフト１２との間が封止され、更に磁性流体シール３２の上側に環状のシールキャップ３４が配されている。
【００３３】
ハブ２０における鍔状部２０ａを除く部分の内周下端部には、下方及び径方向内方に開口する回転対称状の環状切欠部３６が設けられており、その径方向内方は、軸受ホルダ１８の下端部外周面により閉塞されている。
【００３４】
この環状切欠部３６において旋盤等のチャックによりハブ２０を保持してハブ２０の切削加工が行われると共に、この環状切欠部３６内に、回転バランス修正用のおもり体３８が固定されている。
【００３５】
このおもり体３８は、比較的に粘度及び比重が高い液状接着剤が環状切欠部３６内に固着して固化したものであり、固化の際にハブ２０を傾けることでバランス補正位置に正確に位置決めされている。
【００３６】
環状切欠部３６は、電機子に隣接する下玉軸受２８の下部の径方向外方に位置し、その位置におもり体３８を有する。この環状切欠部３６を設けても、ハブ２０及びスピンドルモータの他の内部構造又は外形に影響を与えることはほとんどないため、スピンドルモータの薄型化・小型化等を損なうことなく環状切欠部３６内におもり体３８を固定してスピンドルモータの回転バランスを調整することができる。
【００３７】
環状切欠部３６に固定されたおもり体３８は、電機子に隣接する下玉軸受２８の下部の径方向外方、すなわち回転バランスに及ぼす影響が大きいロータヨーク２４の近辺に位置し、回転軸線方向における回転部１６の重心位置に近いので、精度良くスピンドルモータの回転バランスを調整することができる。
【００３８】
図２は、本発明の実施の形態の別の例としてのハードディスク駆動用スピンドルモータにおける回転部１６の断面図である。
【００３９】
図２における図１と同一の符号は、図１と同一部位を示すものである。それらについての詳細な説明は省略する。
【００４０】
この回転部４０におけるハブ４２は、図１におけるハブ２０と軸受ホルダ１８が一体に形成されたものに相当する。
【００４１】
ハブ４２における鍔状部４２ａを除く部分の内周側の下端部に、下方に開口する回転対称状の環状溝部４４が設けられている。
【００４２】
この環状溝部４４において旋盤等のチャックによりハブ４２を保持してハブ４２の切削加工が行われると共に、この環状溝部４４内に、回転バランス修正用のおもり体４６として金属製Ｃリングが固定されている。
【００４３】
なお、以上の実施の形態についての記述における上下位置関係は、単に図に基づいた説明の便宜のためのものであって、実際の使用状態等を限定するものではない。
【００４４】
【発明の効果】
本発明の記録媒体駆動用のスピンドルモータは、薄型化・小型化等を損なうことなく設けた環状切欠部内に回転バランス修正用のおもり体を固定して精度良く回転バランスを調整することができる。
【００４５】
請求項２記載の記録媒体駆動用のスピンドルモータにおいては、環状切欠部に固定された回転バランス修正用のおもり体の位置が回転軸線方向における回転部の重心位置により近くなるので、より一層精度良くスピンドルモータの回転バランスを調整することができる。
【００４６】
本発明の記録媒体駆動用スピンドルモータの製法によれば、ハブの加工においてハブを保持するために設けた環状切欠部が、回転バランス修正用のおもり体の固定に利用されるので、良好な製造効率で本発明の記録媒体駆動用スピンドルモータを製造することができる。
【図面の簡単な説明】
【図１】ハードディスク駆動用スピンドルモータの断面図である。
【図２】ハードディスク駆動用スピンドルモータにおける回転部の断面図である。
【符号の説明】
１０    ブラケット
１０ａ  凹部
１０ｂ  筒状部
１２    固定シャフト
１４    ステータ
１４ａ  ステータコア
１４ｂ  ステータコイル
１６    回転部
１８    軸受ホルダ
１８ａ  内方突部
２０    ハブ
２０ａ  鍔状部
２２    ロータマグネット
２４    ロータヨーク
２６    上玉軸受
２８    下玉軸受
３０    軸受キャップ
３２    磁性流体シール
３４    シールキャップ
３６    環状切欠部
３８    おもり体
４０    回転部
４２    ハブ
４２ａ  鍔状部
４４    環状溝部
４６    おもり体
【図１】
0003924417.tif 000002
【図２】
0003924417.tif 000003